(57)【特許請求の範囲】
【請求項１】
絶縁性の基部（１２）上に配置された絶縁性の遮断器カバー（１４）と、
前記遮断器カバーに設けられた凹部（１５Ａ）と、
前記凹部内に配置された支持体（２１）と、
前記支持体上に設けられ、過電流状態の発生時に回路電流を遮断するように構成された電子式引外しユニット（１５）と、
前記支持体に取り付けられ、前記過電流状態の遠隔的表示を行うための補助スイッチ（１９）であって、該補助スイッチは、サブフレーム（２３）に取り付けられたマイクロスイッチ（３２）と、前記サブフレーム（２３）に取り付けられたレバー（２５）とを有し、該レバー（２５）が前記遮断器カバー内を上方へ延在する遮断器作動機構レバー（４８）と相互作用するように構成されている、補助スイッチ（１９）と、
を有し、
前記レバーは、前記サブフレームの底に形成されたスロット（２３Ｂ）内に配置される平坦端部（２９）を有しており、
前記マイクロスイッチは、その底部から延出しているボタン（３３）を有し、該ボタンは前記レバーの前記端部に接触して、前記マイクロスイッチをオン状態とオフ状態の間で駆動する
ことを特徴とする高レベル過電流保護用の工業定格遮断器。
【請求項２】
前記サブフレームと前記レバーの前記端部との間に接続されて、前記端部を前記サブフレームの前記底部に対してバイアスするバイアスばねを有している請求の範囲第１項記載の工業定格遮断器。
【請求項３】
前記レバー上に設けられたローラ（２６）を有し、該ローラは、前記遮断器レバーに接触して、前記バイアスばねのバイアスに抗して前記レバーの前記端部を駆動する請求の範囲第２項記載の工業定格遮断器。
【請求項４】
前記バイアスばねは、前記サブフレームの上部に形成された一対のスロット（２３Ａ）の間に延在している支持ピン（３１）により、前記サブフレーム上に支持されている請求の範囲第３項記載の工業定格遮断器。
【請求項５】
前記ローラは、前記レバー上に形成されたＵ字形支持体２７内に延在している請求の範囲第４記載の工業定格遮断器。
【請求項６】
前記サブフレームおよび前記レバーは、支持フレーム（３５）上に配置されている請求の範囲第５項記載の工業定格遮断器。
【請求項７】
前記支持フレームに取り付けられた補助スイッチカバー（４４）を有している請求の範囲第６項記載の工業定格遮断器。
【請求項８】
前記補助スイッチカバーの外側で前記支持フレームから上方へ延在している屈曲した台（３６）を有している請求の範囲第７項記載の工業定格遮断器。
【請求項９】
前記補助スイッチカバーには、前記遮断器作動機構レバーと前記ローラとの間のアクセスを可能とするＴ字形スロットが形成されている請求の範囲第７項記載の工業定格遮断器。
【請求項１０】
前記マイクロスイッチに接続されるワイヤに対する歪を軽減するための歪軽減ワイヤウェイ４２が、前記支持フレームに取り付けられている請求の範囲第７項記載の工業定格遮断器。
【請求項１１】
前記マイクロスイッチに接続される前記ワイヤを通すための矩形スロット（４６）が、前記補助スイッチカバーに設けられている請求の範囲第７項記載の工業定格遮断器。
【請求項１２】
サブフレーム（２３）に取り付けられたマイクロスイッチ（３２）と、
前記サブフレーム上に設けられて、過電流による回路遮断状態の遠隔的表示を行うために遮断器作動機構レバー（４８）と相互作用するレバー（２５）であって、該レバー（２５）が、前記サブフレームの底に形成されたスロット（２３Ｂ）内に配置される平坦端部２９を有しているレバー（２５）と、
前記サブフレームと前記レバーの前記端部との間に接続されて、該端部を前記サブフレームの前記底部に対してバイアスするバイアスばねと、
前記レバー上に設けられたローラ（２６）であって、該ローラは、前記遮断器レバーに接触して、前記バイアスばねのバイアスに抗して前記レバーの前記底部を駆動するローラ（２６）と、
を有し、
前記レバーは、前記サブフレームの底に形成されたスロット（２３Ｂ）内に配置される平坦端部（２９）を有しており、
前記マイクロスイッチは、その底部から延出しているボタン（３３）を有し、該ボタンは前記レバーの前記端部に接触して、前記マイクロスイッチをオン状態とオフ状態の間で駆動する
ことを特徴とする工業定格遮断器用の補助スイッチアクセサリユニット。
【請求項１３】
前記バイアスばねは、前記サブフレームの上部に形成された一対のスロット（２３Ａ）の間に延在している支持体ピン（３１）により、前記サブフレーム上に支持されている請求の範囲第１２項記載の補助スイッチアクセサリユニット。
【請求項１４】
前記ローラは、前記レバー上に形成されたＵ字形支持体（２７）内に延在している請求の範囲第１２項記載の補助スイッチアクセサリユニット。
【請求項１５】
前記サブフレームと前記レバーは、支持フレーム３５上に設けられている請求の範囲第１２項記載の補助スイッチアクセサリユニット。
【請求項１６】
前記支持フレームに取り付けられた補助スイッチカバー（４４）を有している請求の範囲第１２項記載の補助スイッチアクセサリユニット。
【請求項１７】
前記レバーの外部において前記支持フレームから上方へ延在する屈曲した台（３６）を有している請求の範囲第１２項記載の補助スイッチアクセサリユニット。
【請求項１８】
前記補助スイッチカバーには、前記遮断器作動機構レバーと前記ローラとの間のアクセスを可能とするＴ字形スロットが形成されている請求の範囲第１２項記載の補助スイッチアクセサリユニット。
【請求項１９】
前記マイクロスイッチに接続されるワイヤに対する歪を軽減するための歪軽減ワイヤウェイ（４２）が、前記支持フレームに取り付けられている請求の範囲第１２項記載の補助スイッチアクセサリユニット。
【請求項２０】
前記マイクロスイッチに接続される前記ワイヤを通すための矩形スロット（４６）が、前記補助スイッチカバーに形成されている請求の範囲第１２項記載の補助スイッチアクセサリユニット。
【発明の詳細な説明】
発明の背景
「ＪおよびＫフレーム遮断器用のアクセサリ取付モジュール（Accessory Mounting Module for J and K Frame Breakers）」という名称の米国特許第４，４０８，１７４号には、保護される配電回路内の過電流による遮断が発生したことを示す補助スイッチアクセサリを受け入れるための取付モジュールが開示されている。アクセサリモジュールを挿入するためには、遮断器ケースとカバーをまず取り外して、遮断器作動機構を露出させなければならない。これは工場での取付を必要とし、製品の出荷を遅くするものである。
「高アンペア定格遮断器用のアクセサリ区画室（Accessory Compartment for High Ampere-rated Circuit Breaker）」という名称の米国特許出願（出願人整理番号４１ＰＲ７１４３）には、様々な組合せで選択可能である数個のアクセサリ機能を自動過電流保護機能とともに有する集積化遮断器が記載されている。アクセサリ機能の組合せを工場および現場で選択することができるように遮断器引外しユニットに別々のスイッチが設けらている。選択されたアクセサリユニットは引外しユニットに隣接した遮断器カバー内に挿入される。
本発明の目的は、遮断器作動機構に対するインターフェイスを構成するように複数の補助スイッチを所定位置に取り付ける補助スイッチモジュールを提供することである。
高アンペア定格遮断器を制御する電子式引外しユニットが、遮断器カバーの凹部内に配置される。補助スイッチアクセサリモジュールユニットが、引外しユニットと同じ支持台上に取り付けられる。補助スイッチアクセサリモジュールユニットは複数のマイクロスイッチを含み、または過電流による遮断状態の発生を遠隔的に表示し、或いは主遮断器接点の状態を遠隔的に表示する。モジュール内に旋回自在に配置されたローラが、遮断器作動機構のレバーと相互作用することにより各々のマイクロスイッチ上の対応するボタンを同時に作動する。
【図面の簡単な説明】
図１は、本発明による補助スイッチアクセサリモジュールを有する高アンペア定格遮断器の斜視図である。
図２は、組立前の図１のアクセサリモジュール内の構成部品の斜視図である。
図３は、モジュール支持フレームとモジュールカバーとの間のアクセサリモジュール部品を示す斜視図である。
図４は、図１の引外しユニット取付台に取り付けられた本発明の補助スイッチアクセサリモジュールの部分断面側面図である。
好適実施例の説明
図１に示す高アンペア定格遮断器１０は、過熱されることなく、数百ボルトの電位の数千アンペアの静止回路電流を伝達することができる。遮断器は、電気的に絶縁された基部１１を有し、該基部１１には同様に絶縁材からなる中間カバー１３が取り付けられ、更にその上に電気絶縁材からなる上部カバー１４が取り付けられている。内部電流伝達部品との電気的接続は、基部の一方の側から延出している負荷端子ストラップ１４Ａおよびその反対側から延出している電力線路端子ストラップ（図示せず）を介して行われる。内部の構成要素は、上部カバー１４の上面に設けられた凹部１５Ａ内に配置されている電子式引外しユニット１５によって制御される。この引外しユニットは、上述した米国特許第４，５８１，１８１号に記載されているものと同様のものであり、「高電流遮断器用のベルアラームおよびロックアウトアクセサリ（Bell Alarm and Lock-out Accessory for High Current Circuit Breakers）」という名称の米国特許出願（出願人整理番号４１ＰＲ７１７９）に記載されているようにアクセサリ用凹部１６Ａ内に配置されたベルアラームおよびロックアウトアクセサリ１６のようなアクセサリと相互作用する。ボタン１７は、回路遮断状態が発生した後に遮断器作動機構をリセットすることを可能にし、表示器１８は遮断器接点のオンおよびオフ状態を可視的に表示する。「高アンペア定格遮断器用のアクセサリ区画室（Accessory Compartment for High Ampere-rated Circuit Breaker）」という名称の上述した米国特許出願（出願人整理番号４１ＰＲ７１４３）に記載されているように、共通の支持フレーム２１がアクセサリモジュール２０と引外しユニット１５の両方を支持している。更に、同じ支持フレームは、過電流による回路遮断状態の発生を遠隔的に表示するように機能する補助スイッチモジュールユニット１９を支持する。
補助スイッチモジュール部品２２が組立前の状態で図２に示されている。サブフレーム２３が単一の金属プレートで形成されて、側部貫通孔２４Ａおよび底部貫通孔２４Ｂを有するＵ字形構造を画定している。引張コイルばね３０の一端がピン３１によって支持され、このピンは端部３１Ａを有し、この端部はサブフレーム２３の上部部分に形成されたスロット２３Ａ内に受け入れられる。引張コイルばね３０のフック端部３０Ａが、レバー２５の平坦端部２９に設けられた貫通孔２９Ａ内に受け入れられる。端部２９は、サブフレーム２３の底部に形成されたＵ字形スロット２３Ｂ内に配置されて、ばね３０によって底部に対してバイアスされる。多数（１２個）のマイクロスイッチ３２がねじまたはリベット３４および対応する貫通孔２４Ａによりサブフレーム２３に取り付けられる。マイクロスイッチをサブフレームに取り付けたとき、マイクロスイッチの底から延出しているボタン３３が同時にレバー２５の端部２９に接触して、該端部により押し込まれる。レバー２５のＵ字形支持体２７内に延在しているローラ２６が、図１の遮断器１０内の遮断器作動機構から延出しているレバー４８（図４）と相互作用するように位置決めされる。ローラ２６と平行に延在しているピン２８がレバー２５に対して旋回自在に支持されている。
組み立てられた保持スイッチモジュール部品２２は、図３に示されているように、完全な補助スイッチ１９を構成するためにカバー４４および支持フレーム３５に取り付けられる。カバー４４の上部および前部に設けられたＴ字形アクセススロット４５が上述した遮断器レバーを通し、カバーの側壁に設けられた矩形スロット４６が、マイクロスイッチを遠く離れた音声および可視表示器に接続するためのワイヤ導体（図示せず）を通す。歪軽減ワイヤウェイ（ｗｉｒｅｗａｙ）４２が貫通孔４１Ａ，４２Ａにより支持フレーム３５の端壁４１に取り付けられ、これにより細長いスロット４３をカバー４４の矩形開口部４６内に位置決めする。サブフレーム３５のスロット付き開口部３５Ａがレバー２５の端部２９の一部の下側に位置し、これにより支持フレームの底部からレバー２５へアクセスすることができる。カバーの側壁の貫通孔４４Ａおよび支持フレームの対応する側壁３８，３９の貫通孔４０によってカバーが支持フレームに取り付けられたとき、屈曲した台３６がカバーの外側をカバーに沿って延在して、図１および図４に示すように引外しユニット１５の下側の支持体２１に対して台３６の取付スロット３７を位置決めする。
図４を参照すると、補助スイッチ１９の支持フレーム３５をねじ４７により支持体２１の縁部２１Ａに取り付けると、カバー４４のＴ字形スロット４５の底部が遮断器レバー４８に対して正確に位置決めされるとともに、レバーの上部４８Ａがローラー２６に対して正確に位置決めされる。マイクロスイッチ３２の底のボタン３３は、サブフレーム２３上のレバー２５の端部２９に対して位置決めされる。
動作について説明すると、レバー４８の上部４８Ａがローラー３６に対して接触状態および非接触状態に移動し、ばね３０の復帰バイアスに抗してボタン３３からレバー２５の端部２９を離すように駆動する。マイクロスイッチはユーザの仕様によって常開スイッチまたは常閉スイッチにすることができる。
【図１】
0003934677.tif 000002
【図２】
0003934677.tif 000003
【図３】
0003934677.tif 000004
【図４】
0003934677.tif 000005